(57)【要約】      （修正有）【課題】液晶テレビ１台で３画面に明確に区別して、別々の信号を送り、正確に３画面にして認識させる装置を提供する。【解決手段】映像信号と、テレビカメラの撮映信号と、赤外線カメラ信号の３種類を一体としたテレビ映像信号と、撮影映像装置で、テレビカメラと、赤外線カメラは同じ方向を向け円盤上に固定させて、円盤上で各役割分担を決めて回転させる。テレビカメラの撮影信号と赤外線カメラの撮影信号はカメラを中心として３６０度決めた角度全体を撮影画面に表示する。又、テレビカメラと赤外線カメラは、一点に方向を固定して撮影できる。【選択図】図１
2017135689.tif 000002
【特許請求の範囲】
【請求項１】
液晶テレビ画面に映る、映像信号と、テレビカメラの信号と、暗い場所や霧の中、吹雪、濁った水の中も透明のガラス板を透して撮影できる（赤外線カメラ、又は赤外線センサー、又は高解像度画像センサー）と、この３種類を一体とした、テレビ映像信号と、撮影映像信号装置で、テレビカメラと、（赤外線カメラ、又は赤外線センサー、又は高解像度画像センサー）は同じ方向を向け、円盤状の上に固定させる。
此の３種類の信号を、円盤状で各役割分担を決めて回転させる。
次の様に円盤上で最初の１００度の角度をテレビの映像信号、次の２０度の角度を無信号、次の１００度の角度をテレビカメラの撮影信号、次の２０度の角度を無信号、次の１００度の角度を（赤外線カメラ、又は赤外線センサー、又は高解像度画像センサー、）の撮影信号、次の２０度の角度を無信号、このように３種類の信号を、円盤上に加工して装置を作り、１分間に２００回転〜８ｋに対応する回転まで自由に回転を可変出来て、回転を安定させる装置、
この装置を、モーターの回転軸に加工するため、モーターの回転軸の中心から外周に向け角度を決め外周２０度の角度分、１００度の角度分、２０度の角度分、１００度の角度分、２０度の角度分、１００度の角度分を、回転軸の表面に、加工して、信号を送るための装置を導入する。
回転させるモーターは、インホイルタイプのモーターと一般のモーターの１部分と合体した状態で、インホイルモーターの上の部分と、円盤の上に固定した、カメラ部分は、電磁クラッチで、切り離して。テレビカメラ又は（赤外線カメラ、又は赤外線センサー、又は高解像度画像センサー）は真正面から希望するあらゆる角度に固定できる様に装置を作る。
今回は手動で円盤上に希望する角度に凹凸部分を作り凹凸部分で凸の部分をスプリングで押し付けて希望する角度に固定する。
この装置により、テレビ画面は普通に自由にチャンネルを切り替えて見ることが出来る、テレビカメラの撮影信号と（赤外線カメラ又は赤外線センサー、又は高解像度画像センサー）の撮影信号は電磁クラッチを入りにした時、カメラを中心として３６０度決めた角度全体を撮影画面に表示される、一例として、自動車の屋根に取り付けて利用すれば自動車を中心にして３６０度画面に表示される、装置。
【請求項２】
円盤は回転しながら、電磁クラッチで、切り替えにより、手動で、テレビカメラを一点に固定した方向を撮影できる装置、又（赤外線カメラ、又は赤外線センサー、又は高解像度画像センサー、）を一点に方向を固定して撮影できる装置。
この装置により、テレビの画面はチャンネルを切り替えて自由に見ることが出来、次にテレビカメラ又は（赤外線カメラ、又は赤外線センサー、又は高解像度画像センサー）は撮影した映像を３６０度連続で見る事が出来たり、又一点に方向を固定して見ることが出来る装置。
円盤上に角度を決めて信号を送るので、３種類の信号をダブって見る事もなく、確実に、次々と区別して見ることが出来る。
又、テレビ画面の信号、テレビカメラの撮影信号、（赤外線カメラ、又は赤外線センサー、又は高解像度画像センサー）の撮影信号、の３種類の信号を、必要な信号を残してスイッチの切り替えにより、他の信号を自由に遮断したり接続する事が出来る装置。
【請求項３】
（スイッチはロータリスイッチを含む）
この装置により、テレビの放送は従来と変わらず、リモコンで選局できる。
テレビカメラの信号も、自由に、数台を切り替えて見ることが出来る、又（赤外線カメラ又は赤外線センサー、又は高解像度画像センサー）の信号も、数台を切り替えて信号を遮断したり、信号を自由に送る事が出来る。
液晶テレビ画面を持つ、映像装置１台で、３種類の信号を、自由に確実に識別して利用することが出来る装置、
【請求項４】
この技術装置は、すべての動く乗り物に利用される事を想定しており、一例として自動車の完全自動運転車に利用する場合、霧が多かったり、吹雪、大雨の時等、完全に機械任せにせず、インターネットに接続して人がその場にいる状態で、遠隔操作により安全に運転して人間がインターネットを利用して危険を回避させる装置、
【請求項５】
テレビカメラと、（赤外線カメラ又は赤外線センサー、又は高解像度画像センサー）に加えマイクロ波電波カメラ、も含める、富士山に雪が吹雪で、、又視界を遮っていても地形を宇宙からも確実に識別できる、又高解像度画像センサーで画像鮮明化機能搭載したカメラも含める、これにより１０キロ先の飛行物体やそこに書かれた文字さえも確実に識別できる装置、
【請求項６】
１台の液晶テレビ画面に加えて、ゆっくり画面を見るために、更に２台の液晶画面を追加して、同時に、テレビの画面、テレビカメラの画面、（赤外線カメラ又は赤外線センサー、又は高解像度画像センサー）の画面を、円盤上に分担した角度の信号を、追加した２台に、並列に信号を送って液晶画面を３台にして鑑賞する装置。
【発明の詳細な説明】
【発明の詳細な説明】
【０００１】この発明は液晶テレビ１台で３画面に明確に区別して、認識させ、別々の信号を送り正確に３画面にして、認識させる装置である。
又、２台の液晶テレビ画面を追加して信号を並列に接続して、３台で、３画面にして安定して見ることが出来る装置である。
最初の１台で、円盤上に加工した信号分担を、まず１００度の角度を液晶テレビ画面の信号、次に２０度の角度を無信号、次の１００度の角度をテレビカメラの撮影信号、次の２０度の角度を無信号、次の１００度の角度を（赤外線カメラ又は赤外線センサ−又は高解像度画像センサー、）の信号、次の２０度の角度を無信号、この様に加工された円盤を１分間に、２００回〜８ｋに対応する回転まで、自由に回転を可変出来て回転を安定させる装置。
１００度の角度の回転は、３６０度分の１００度となり、１００÷３６０度で０、２７１回転で約３．６倍となり、１秒間６０コマで、３．６×６０＝２１６回ですから、余裕をもって、２００回転〜８ｋに対応する回転、それ以上の１０００回転迄。
この範囲で、自由に回転を可変出来て回転を安定させる装置、
【技術分野】
【０００２】本発明は液晶テレビ画面１台分の信号を、３分割にして、３台分の信号を送るに関する。
【背景技術】
【０００３】従来１台の液晶テレビ画面は、１台分の信号を送り、補足して、画面の左や、下側に情報を表示されていた。
【発明が解決しようとする課題】
【０００４】従来１台の液晶テレビ画面は、１台分の信号を送り、補足して、画面の左や下側に情報を表示されていた。
然しながら、この方式では、同じ大きさの、液晶テレビ画面として見ることが出来ず又、完全に、３台分に分割して、別々の信号を送って３台分の情報画面として識別して別々の画面として見ることが出来なかった。
本発明は、完全に識別できる、３台分の、液晶テレビ画面として見ることが出来る様にして解決しようとするものであり、それを実現させる事を目的とするものである。
【問題を解決するための手段】
【０００５】本発明による解決の手段は、液晶テレビ画面に映る、映像信号と、テレビカメラの撮映信号と、暗い場所や、霧の中、吹雪の中、濁った水の中も、透明のガラス板を透して撮影できる（赤外線カメラ又は赤外線センサー、又は高解像度画像センサー）と、この３種類を一体とした、テレビ映像信号と、撮影映像装置で、テレビカメラと、（赤外線カメラ又は赤外線センサー、又は高解像度画像センサー）は同じ方向を向け円盤上に固定させる、その信号を、円盤上で各役割分担を決めて回転させる。
次の様に、円盤上に最初の１００度の角度をテレビの映像信号、つぎに２０度の角度を無信号、次の１００度の角度をテレビカメラの撮影信号、次の２０度の角度を無信号、次の１００度の角度を（赤外線カメラ又は赤外線センサー、又は高解像度画像センサー）の撮影信号、次の２０度の角度を無信号、この様に３種類の信号を、円盤上に加工して装置を作り、円盤を１分間に２００回転〜８ｋに対応する回転まで、自由に回転を可変出来て回転を安定させる装置。
この装置により、テレビ画面は正常に自由にチャンネルを切り替えて見ることが出来る。
テレビカメラの撮影信号と（赤外線カメラ又は赤外線センサー、又は高解像度画像センサー）の撮影信号はカメラを中心として３６０度決めた角度全体を撮影画面に表示される、又、テレビカメラと（赤外線カメラ又は赤外線センサー、又は高解像度画像センサ−）は一点に方向を固定して撮影できる装置、円盤上に角度を決めて信号を送るので、３種類の信号を、ダブって見ることもなく、３つの信号を確実に、次々と区別して見ることが出来る。
又、テレビ画面の信号、テレビカメラの撮影信号、（赤外線カメラ又は赤外線センサー  又は高解像度画像センサー）の信号を、自由に遮断したり接続する事ができる装置。
液晶テレビ画面を持つ、映像装置１台で、３台分利用でき然もカメラ等数ヵ所、切り替えて確実に識別して見ることが出来る装置。
この技術装置は、すべての動く乗り物に利用されることを想定しており、一例として自動車の完全自動運転に利用する場合、霧が多かったり、吹雪の時、大雨の時等、完全に機械任せにせず、インターネットに接続して、人がその場に居る状態で、遠隔操作により安全に運転して人間がインターネットを利用して危険を回避させる装置。
テレビカメラと、（赤外線カメラ又は赤外線センサー、又は高解像度画像センサー）に加え、マイクロ波電波カメラも加える、富士山に雲や、雪、吹雪で視界が遮られていても地形を、確実に宇宙からも識別できる、又、高解像度画像センサーを搭載したカメラも含める事で、１０キロ先の飛行物体や、その他の物体も確実に識別出来る装置。
１台の液晶テレビ画面に加えて、ゆっくり鑑賞する為に、更に２台の液晶画面を追加して、同時に、テレビ画面に加えて、テレビカメラの画面、（赤外線カメラ又は赤外線センサー又は高解像度画像センサー）の画面に、３種類に分担した角度の信号を、追加した２台に並列に信号を送って液晶画面を鑑賞する装置。
【発明の効果】
【０００６】本発明により、１台の液晶画面により、３台分の効果があるので、３台分の設置場所が１台分の設置場所で済むことになり、飛行機の中のコックピットの広さも小型で済み計器類も３分の１位に減らすことが出来る、液晶画面を３回切り替えることにより３倍の計器類が確認されて非常に効果的である。
例え、液晶画面の変わりが早くても、信号を切り替えて見るので、全く困らない。
人工衛星にしても、大型船舶にしても、潜水艦にしても、新幹線にしても、自動車でも計器類を、３分の１に減らせても、切り替えにより、３倍の容量の計器類を確認する事が出来る。
大型の船舶でもマストの先端に、カメラ又は（赤外線カメラ又は赤外線センサー、又は高解像度画像センサー）に加え、マイクロ波電波カメラも加える、その他、あらゆる最新のカメラを加えることにより、潜水艦では、濁った水の中も地形を正確に把握する事が出来る。
又、鉄道や、自動車、超高層ビル、全ての分野で利用できる。
最新の技術のカメラを、適材適所に採用することにより。１０キロ先の犯罪者も識別出来て防犯にも役に立ち、あらゆる分野で、なくてはならない、技術だと思います。
【発明を実施するための最良の形態】
【０００７】本発明の実施の形態を図１〜図２において説明する。
【図面の簡単な説明】
【０００８】
【図１】のＡは正面図であります。Ｂは側面図であります。Ｃは平面図であります。図１の▲１▼はテレビカメラと（赤外線カメラ又は赤外線センサー、又は高解像度画像センサー）であります。図１の▲２▼はカメラの仰角を調整する固定するネジであります。図１の▲３▼は電磁クラッチの構造部分であり、カメラと固定されています。
【図２】の▲４▼はインホイルモーターと一般のモーターのコミュテーターの構造の一部の軸を表わしたものでございます。図２の▲５▼は回転軸の表面を展開して信号の伝達を説明するものでございます。図２の▲６▼は液晶画面の信号を送る部分であります。図２の▲７▼は斜線でで示しており、信号を送らない部分でございます。図２の▲８▼はテレビカメラの画面、テレビカメラの信号を送る部分でございます。図２の▲９▼は（赤外線カメラ又は赤外線センサー、又は高解像度画像センサー）の信号を送る部分でございます。
【図１】
2017135689.tif 000003
【図２】
2017135689.tif 000004